(57)【要約】【課題】組立が容易でかつ枠組足場部材に安定的に固定できる足場用補助部材を提供する。【解決手段】足場用補助部材１００は、柱部材１０と、柱部材１０の上端に固定されたヒンジ部材２０と、ヒンジ部材２０にヒンジピン２１を介して回転可能に設けられた梁部材３０と、梁部材３０の先端に設けられ、枠組足場部材５００の梁部材５０に引っ掛けられ得るフック機構４０とを備えている。【選択図】図２
2009035980.tif 000002
【特許請求の範囲】
【請求項１】
柱部材と、
前記柱部材に設けられたヒンジ部と、
前記ヒンジ部とその一方端とが回転可能に取付けられた梁部材と、
前記梁部材の他方端に設けられ、枠組足場部材に取付けられ得る取付機構とを備えた、足場用補助部材。
【請求項２】
柱部材と、
前記柱部材に一方端が固定され、前記柱部材から垂直な方向に延びる梁部材と、
前記梁部材の他方端に設けられ、枠組足場部材に取付けられ得る取付機構とを備えた、足場用補助部材。
【請求項３】
前記取付機構はフック機構であり、
前記フック機構は前記枠組足場部材の梁部材に引っ掛けられ得る、請求項１または２に記載の足場用補助部材。
【請求項４】
前記フック機構は前記枠組足場部材の柱部材の上端部が挿入され得る程度の間隔を置いて設けられた２つのフックを有する、請求項３に記載の足場用補助部材。
【請求項５】
前記取付機構は前記枠組足場部材の柱部材に取付けられ得るクランプ機構である、請求項１または２に記載の足場用補助部材。
【請求項６】
梁部材と、
前記梁部材の一方端に設けられ、第１枠組足場部材に取付けられ得る第１取付機構と、
前記梁部材の他方端に設けられ、第２枠組足場部材に取付けられ得る第２取付機構とを備えた、足場用補助部材。
【請求項７】
前記第１取付機構および前記第２取付機構は、それぞれ、第１フック機構および第２フック機構であり、
前記第１フック機構および前記第２フック機構は、それぞれ、前記第１枠組足場部材の梁部材および前記第２枠組足場部材の梁部材に引っ掛けられ得る、請求項６に記載の足場用補助部材。
【請求項８】
前記第１フック機構は、前記第１枠組足場部材の柱部材が挿入され得る程度の間隔を置いて設けられた２つの第１フックを有し、
前記第２フック機構は、前記第２枠組足場部材の柱部材が挿入され得る程度の間隔を置いて設けられた２つの第２フックを有する、請求項６に記載の足場用補助部材。
【請求項９】
前記第１取付機構および前記第２取付機構のそれぞれはクランプ機構である、請求項６に記載の足場用補助部材。
【請求項１０】
平面的に見て、建築物の横方向において該横方向に垂直に第１枠組足場部材を設けるステップと、
前記第１枠組足場部材に平行に第２枠組足場部材を設けるステップと、
前記第１枠組足場部材と前記第２枠組足場部材とに第１足場板を取付けるステップと、
前記第１枠組足場部材の近傍に、平面的に見て、前記建築物の縦方向において該縦方向に垂直に第３枠組足場部材を設けるステップと、
前記第３枠組足場部材に平行に第４枠枠組足場部材を設けるステップと、
前記第３枠組足場部材と前記第４枠組足場部材とに第２足場板を取付けるステップとを備え、
平面的に見て、前記第１枠組足場部材が最も外側に位置付けられ、かつ、前記第１枠組足場部材の梁部材の延長線上に前記第３枠組足場部材の外側の柱部材が位置付けられる、仮設足場の組立方法であって、
前記仮設足場の組立方法は、
前記第３枠組足場部材側の前記第１足場板の側面に沿って前記第１枠組足場部材に、請求項１〜５のいずれかに記載の足場用補助部材を取付けるステップと、
前記第２枠組足場部材の柱部材と前記足場用補助部材の柱部材とに第１筋交いを取付けること、および、前記第３枠組足場部材の柱部材と前記足場用補助部材の柱部材とに第２筋交いを取付けることのうち少なくともいずれか一方を行うステップと、
前記第３枠組足場部材の梁部材と前記足場用補助部材の梁部材とに第３足場板を取付けるステップとを備えた、仮設足場の組立方法。
【請求項１１】
平面的に見て、建築物の横方向において横方向に垂直に第１枠組足場部材を設けるステップと、
前記第１枠組足場部材に平行に第２枠組足場部材を設けるステップと、
前記第１枠組足場部材と前記第２枠組足場部材とに第１足場板を取付けるステップと、
前記第１枠組足場部材の近傍に、平面的に見て、前記建築物の縦方向において該縦方向に垂直に第３枠組足場部材を設けるステップと、
前記第３枠組足場部材に平行に第４枠組足場部材を設けるステップと、
前記第３枠組足場部材と前記第４枠組足場部材とに第２足場板を取付けるステップとを備え、
平面的に見て、前記第１枠組足場部材が最も外側に位置付けられ、かつ、前記第１枠組足場部材の梁部材の延長線上に前記第３枠組足場部材の外側の柱部材が位置付けられる、仮設足場の組立方法であって、
前記仮設足場の組立方法は、
前記第３枠組足場部材側の前記第１足場板の側面に沿って前記第１枠組足場部材と前記第２枠組足場部材とに、請求項６〜９のいずれかに記載の足場用補助部材を取付けるステップと、
前記第３枠組足場部材の梁部材と前記足場用補助部材とに第３足場板を取付けるステップとを備えた、仮設足場の組立方法。
【発明の詳細な説明】
【技術分野】
【０００１】
本発明は、建設現場において用いられる仮設足場を組立てるときに使用する足場用補助部材およびそれを用いた仮設足場の組立方法に関するものである。
【背景技術】
【０００２】
従来から、建築物の工事現場においては、建築物を取囲むように仮設足場が設置される。たとえば、図２９に示すように、建築物１０００の外周に沿って建築物１０００を取囲むように、仮設足場が設置される。なお、図２９においては、仮設足場の足場板６００のみが模式的に描かれている。たとえば、ほぼ長方形の建築物１０００の仮設足場においては、建築物１０００の縦方向に延びる仮設足場部２６００と建築物１０００の横方向に延びる仮設足場部３６００とが組み立てられる。
【特許文献１】特開２００７−１３２０１７号公報
【発明の開示】
【発明が解決しようとする課題】
【０００３】
上記従来の仮設足場においては、図２９に示すように、縦方向に延びる仮設足場部２６００と横方向に延びる仮設足場部３６００との間に隙間Ｓが形成される。この隙間Ｓの幅は、足場板６００の通常の規格の長さ（６００ｍｍ、９００ｍｍ、１２００ｍｍ、１５００ｍｍ、１８００ｍｍ）よりも短いため、隙間Ｓにさらに１つ足場板６００を設置することはできない。そこで、図３０〜図３３に示すように、通常の規格の長さを有する足場板６００よりも短い足場板１６００が用いられる。足場板１６００の一方端は、縦方向に延びる仮設足場部２６００の最も端の枠組足場部材５００の梁部材５０（図１１参照）に取付けられる。
【０００４】
この場合、横方向に延びる仮設足場部３６００の最も端の足場板６００の内側面には足場板１６００を取付けるための部材が存在しない。そのため、横方向に延びる仮設足場部３６００の側面に沿って補助用の枠組足場部材５０００（枠組足場部材５００と同一：図１１参照）を設けることが必要になる。
【０００５】
また、補助用の枠組足場部材５０００の外側の柱部材および横方向に延びる仮設足場部３６００の最も端の枠組足場部材５００の内側の柱部材５１（または５２）のそれぞれの最下端には、ジャッキベース１４００（図１５参照）に取付けられる。２つのジャッキベース１４００のそれぞれの下端のプレートは、平面的に見て所定の広がりを有するため、補助用の枠組足場部材５０００と横方向に延びる仮設足場部３６００の枠組足場部材５００とは、所定の間隔を置いて設けられなければならない。したがって、足場板１６００と足場板６００との間に隙間Ｓ’が残存してしまう。
【０００６】
そこで、この隙間Ｓ’を塞ぐために、図３４および図３５に示されるように、たとえば、２枚の隙間布板６６０が設けられる。隙間布板６６０は、板本体６６１の一辺に２つのフック６６２を備えている。フック６６２は、補助用の枠組足場部材５０００の梁部材５０に引っ掛けられる。また、隙間布板６６０の前述の一辺に対向する辺側の端部が足場板６００の上に載せられる。
【０００７】
しかしながら、隙間布板６６０は、足場板６００に固定されていないため、フック６６２が枠組足場部材５０００の梁部材５０回りに回転することができる。そのため、隙間布板６６０は、しばしば、強風によって持ち上がってしまったり、ひっくり返ってしまったりすることがある。したがって、隙間布板６６０を用いる場合には、安全性の面において問題がある。この問題を解決するために、針金等で隙間布板６６０を足場板６００に固定しようとすると、そのための作業に時間を要してしまう。
【０００８】
本発明は、上述の問題に鑑みなされたものであり、その目的は、縦方向に延びる仮設足場部と横方向に延びる仮設足場部との隙間を安全にかつ迅速に塞ぐことができる足場用補助部材およびそれを用いる仮設足場の組立方法を提供することである。
【課題を解決するための手段】
【０００９】
本発明の一の局面の足場用補助部材は、柱部材と、柱部材に設けられたヒンジ部と、ヒンジ部とその一方端とが回転可能に取付けられた梁部材と、梁部材の他方端に設けられ、枠組足場部材に取付けられ得る取付機構とを備えている。
【００１０】
上記の構成によれば、足場用補助部材の柱部材の高さが枠組足場部材の柱部材の高さとほぼ同一であり、かつ、足場用補助部材の梁部材の長さが枠組足場部材の梁部材の長さとほぼ同一であれば、足場用補助部材の梁部材と枠組足場部材の梁部材とが同じ高さに位置付けられるように、足場用補助部材が枠組足場部材に取付けられる。
【００１１】
これによれば、建築物の縦方向に延びる仮設足場部と建築物の横方向に延びる仮設足場部との間の隙間を安全にかつ迅速に塞ぐことができる。
【００１２】
また、足場用補助部材の運搬および収納時に、柱部材と梁部材とが平行になるように、足場用補助部材を折り曲げることができるため、足場用補助部材の運搬作業を容易に行うことができるとともに、その保管スペースを低減することが可能になる。
【００１３】
本発明の他の局面の足場用補助部材は、柱部材と、柱部材に一方端が固定され、柱部材から垂直な方向に延びる梁部材と、梁部材の他方端に設けられ、枠組足場部材に取付けられ得る取付機構とを備えている。
【００１４】
上記の構成によっても、足場用補助部材の柱部材の高さが枠組足場部材の柱部材の高さとほぼ同一であり、かつ、足場用補助部材の梁部材の長さ枠組足場部材の梁部材の長さとほぼ同一であれば、足場用補助部材の梁部材と枠組足場部材の梁部材とが同じ高さに位置付けられるように、足場用補助部材が枠組足場部材に取付けられる。したがって、建築物の縦方向に延びる仮設足場部と建築物の横方向に延びる仮設足場部との間の隙間を安全にかつ迅速に塞ぐことができる。また、梁部材と柱部材とが互いに固定されているため、前述の一の局面の足場用補助部材に比較して、仮設足場の全体の安定性が高い。
【００１５】
また、取付機構がフック機構であり、そのフック機構が枠組足場部材の梁部材に引っ掛けられ得るものであってもよい。これによれば、足場用補助部材を枠組足場部材に取付けることが容易である。
【００１６】
また、フック機構は枠組足場部材の柱部材の上端部が挿入され得る程度の間隔を置いて設けられた２つのフックを有することが望ましい。この構成によれば、足場用補助部材の梁部材がその軸まわりに回転しようとしても、２つのフックのうちのいずれかが、枠組足場部材の柱部材に当接して、足場用補助部材の梁部材の軸回りの回転を防止する。また、枠組足場部材の正面および背面のいずれの側からも、その梁部材に２つのフックのうちの一方を引っ掛けることができる。
【００１７】
また、取付機構は枠組足場部材の柱部材に取付けられ得るクランプ機構であってもよい。これによれば、足場用補助部材を枠組足場部材に堅固に取付けることができる。
【００１８】
また、本発明のさらに他の局面の足場用補助部材は、梁部材と、梁部材の一方端に設けられ、第１枠組足場部材に取付けられ得る第１取付機構と、梁部材の他方端に設けられ、第２枠組足場部材に取付けられ得る第２取付機構とを備えている。
【００１９】
上記の構成によっても、第１取付機構を第１枠組足場部材に取付けるとともに、第２取付機構を第２枠組足場部材に取付ければ、建築物の縦方向に延びる仮設足場部と建築物の横方向に延びる仮設足場部との間の隙間を安全にかつ迅速に塞ぐことができる。また、前述の一の局面および他の局面の足場用補助部材に比較して、足場用補助部材の構造がシンプルである。
【００２０】
また、第１取付機構および第２取付機構は、それぞれ、第１フック機構および第２フック機構であり、第１フック機構および第２フック機構は、それぞれ、第１枠組足場部材の梁部材および第２枠組足場部材の梁部材に引っ掛けられ得るものであってもよい。これによれば、足場用補助部材を第１の枠組足場部材および第２の枠組足場部材のそれぞれに取付けることが容易である。
【００２１】
また、第１フック機構は、第１枠組足場部材の柱部材が挿入され得る程度の間隔を置いて設けられた２つの第１フックを有し、第２フック機構は、第２枠組足場部材が挿入され得る程度の間隔を置いて設けられた２つの第２フックを有していることが望ましい。
【００２２】
上記の構成によれば、足場用補助部材の梁部材がその軸まわりに回転しようとしても、２つの第１（第２）フックのうちのいずれかが、枠組足場部材の柱部材に当接して、足場用補助部材の梁部材のその軸回りの回転を防止する。また、枠組足場部材の正面および背面のいずれの側からも、その梁部材に２つの第１（第２）フックのうちの一方を引っ掛けることができる。
【００２３】
また、第１取付機構および第２取付機構のそれぞれはクランプ機構であってもよい。これによれば、足場用補助部材を枠組足場部材の梁部材に堅固に取付けることができる。
【００２４】
本発明の一の局面の仮設足場の組立方法は、平面的に見て、建築物の横方向において横方向に垂直に第１枠組足場部材を設けるステップと、第１枠組足場部材に平行に第２枠組足場部材を設けるステップと、第１枠組足場部材と第２枠組足場部材とに第１足場板を取付けるステップと、第１枠組足場部材の近傍に、平面的に見て、建築物の縦方向において縦方向に垂直に第３枠組足場部材を設けるステップと、第３枠組足場部材に平行に第４枠枠組足場部材を設けるステップと、第３枠組足場部材と第４枠組足場部材とに第２足場板を取付けるステップとを備えている。
【００２５】
また、平面的に見て、第１枠組足場部材が最も外側に位置付けられ、かつ、第１枠組足場部材の梁部材の延長線上に第３枠組足場部材の外側の柱部材が位置付けられる。
【００２６】
さらに、この仮設足場の組立方法は、第３枠組足場部材側の第１足場板の側面に沿って第１枠組足場部材に、前述の一の局面または他の局面の足場用補助部材を取付けるステップと、第２枠組足場部材の柱部材と足場用補助部材の柱部材とに第１筋交いを取付けること、および、第３枠組足場部材の柱部材と足場用補助部材の柱部材とに第２筋交いを取付けることのうち少なくともいずれか一方を行うステップと、第３枠組足場部材と足場用補助部材の梁部材とに第３足場板を取付けるステップとを備えている。
【００２７】
上記の方法によれば、建築物を平面的に見て横方向に延びる仮設足場部と縦方向に延びる仮設足場部との隙間を第３足場板で安全にかつ迅速に塞ぐことができる。
【００２８】
また、本発明の他の局面の仮設足場の組立方法は、平面的に見て、建築物の横方向において横方向に垂直に第１枠組足場部材を設けるステップと、第１枠組足場部材に平行に第２枠組足場部材を設けるステップと、第１枠組足場部材と第２枠組足場部材とに第１足場板を取付けるステップと、第１枠組足場部材の近傍に、平面的に見て、建築物の縦方向において縦方向に垂直に第３枠組足場部材を設けるステップと、第３枠組足場部材に平行に第４枠組足場部材を設けるステップと、第３枠組足場部材と第４枠組足場部材とに第２足場板を取付けるステップとを備えている。
【００２９】
また、平面的に見て、第１枠組足場部材が最も外側に位置付けられ、かつ、第１枠組足場部材の梁部材の延長線上に第３枠組足場部材の外側の柱部材が位置付けられる。
【００３０】
さらに、仮設足場の組立方法は、第３枠組足場部材側の第１足場板の側面に沿って第１枠組足場部材と第２枠組足場部材とに、前述のさらに他の局面の足場用補助部材を取付けるステップと、第３枠組足場部材と足場用補助部材とに第３足場板を取付けるステップとを備えている。
【００３１】
上記の方法によれば、建築物を平面的に見て横方向に延びる仮設足場部と縦方向に延びる仮設足場部との隙間を第３足場板で安全にかつ迅速に塞ぐことができる。
【発明を実施するための最良の形態】
【００３２】
以下、図面を参照して、本発明の実施の形態の足場用補助部材および仮設足場の組立方法を説明する。
【００３３】
（実施の形態１）
まず、図１〜図１８を用いて、本発明の実施の形態１の足場用補助部材およびそれを用いた仮設足場の組立方法を説明する。
【００３４】
図１〜図３には、本発明の実施の形態１の足場用補助部材が示されている。図１〜図３に示すように、本実施の形態の足場用補助部材１００は、柱部材１０を備えている。柱部材１０の上端の近傍には、ヒンジ部材２０が設けられている。ヒンジ部材２０にはヒンジピン２１によって回転可能に梁部材３０の一端が接続されている。梁部材３０の長さは、たとえば、枠組足場部材５００の定格寸法である６００ｍｍ、９００ｍｍ、または１２００ｍｍであってもよいが、これらの寸法とは異なる寸法を有していてもよい。
【００３５】
なお、柱部材１０および梁部材３０は、それぞれ、鉛直方向の圧縮力を受ける柱の機能を有する形状、および、曲げモーメントを受ける梁の機能を有する形状を意味する。したがって、柱部材１０および梁部材３０の形状は、単なる梁部材のみならず、前述のような機能を有する形状であれば、いかなるものであってもよい。また、柱部材１０と梁部材３０とは、所定の平面内において、互いのなす角度が実質的に直角になる状態になり得るものであれば、いかなるものであってもよい。また、柱部材１０および梁部材３０は、それぞれ、具体的には、中実棒、角型管および丸型管等のいかなる部材によって構成されていてもよい。
【００３６】
また、梁部材３０の先端には、本発明の取付機構の一例のフック機構４０が設けられている。本発明の取付機構は、後述される枠組足場部材５００の梁部材５０または柱部材５１（５２）に取付けられ得るものであれば、いかなるものであってもよい。
【００３７】
足場用補助部材１００は、図１に示すように、非使用時には、折り畳まれて、柱部材１０と梁部材３０とが互いに平行になり得る。したがって、実施の形態の足場用補助部材１００によれば、運搬作業が容易になるとともに、保管スペースを小さくすることができる。
【００３８】
また、図２に示すように、足場用補助部材１００の使用時には、図１において、矢印Ｒ１で示すように、梁部材３０がヒンジピン２１を中心として回動する。これにより、一旦、梁部材３０と柱部材１０にとは鈍角を構成する。次に、図２に示すように、矢印Ｒ２で示されるように、梁部材３０が矢印Ｒ１とは逆方向に回転する。それにより、枠組足場部材５００の梁部材５０にフック機構４０が引っ掛けられる。このとき、柱部材１０と梁部材３０とは直角を構成する。また、図２に示されるように、使用時には、ジャッキベース１４００が柱部材１０の下方端に取付けられ、梁部材３０の高さが調節されている。
【００３９】
なお、本実施の形態の梁部材３０の長さは一定であるが、その長さが変更され得るものであってもよい。たとえば、図４に示されるように、梁部材３０が、ヒンジ部材２０に接合された第１の梁部材３０ａと、フック機構４０に接合された第２の梁部材３０ｂとを有しており、第１の梁部材３０ａと第２の梁部材３０ｂとが、伸縮接合部材３５によって接続されていてもよい。伸縮接合部材３５には、ねじ３６ａおよび３６ｂが取付けられている。これにより、ねじ３６ａおよび３６ｂの少なくともいずれか一方を弛緩させれば、第１の梁部材３０ａと第２梁部材３０ｂとの間の距離を大きくしたり小さくしたりすることができる。
【００４０】
なお、足場用補助部材１００の使用時には、ねじ３６ａおよび３６ｂが締め付けられ、第１の梁部材３０ａと第２の梁部材３６ｂとの全長が一定に維持される。これによれば、柱部材１０からフック機構４０までの距離を調整することによって、梁部材５０の長さが異なる枠組足場部材５００のいずれが用いられる場合にも、足場用補助部材１００を利用することができる。
【００４１】
また、柱部材１０には、図１に示されるように、図５および図６に示される筋交い取付部材１１および１２が取付けられる。また、筋交い取付部材１１および１２には、後述されるように、筋交い３００が取付けられる。また、筋交い取付部材１２は、筒状部１２０を有している。筒状部１２０の外表面には、３つの筋交い用ヒンジ部１２２，１２３，１２４が設けられている。また、筒状部１２０を貫通するように、筒状部１２０を柱部材１０に固定するための締付けねじ１２１が設けられている。
【００４２】
なお、図１に示される筋交い取付部材１１および１２は、互いに同一の構造を有しているため、図５における筋交い取付部材１２の説明のみがなされ、筋交い取付部材１１の説明は省略される。
【００４３】
また、フック機構４０は、図７および図８に示されるように、２つのフック４３を有している。フック４３のそれぞれには、フック４３が梁部材５０から外れることを防止するための外れ防止用部材４１が取付けられている。外れ防止用部材４１は、リベット状部材４２によって、フック４３に対して移動可能に係止されている。リベット状部材４２がフック４３に設けられた円弧状の貫通孔を移動することによって、外れ防止用部材４１の先端とフック４３の先端との間の距離を大きくしたり小さくしたりする。フック４３が梁部材５０に引っ掛けられているときには、外れ防止用部材４１は自重で自然に落下する。それにより、外れ防止用部材４１の先端とフック４３の先端との間の距離が小さなる。このとき、フック機構４０は、上方に持ち上げられたとしても、梁部材５０から外れないように、外れ防止用部材４１の先端とフック４３の先端との間の距離を狭めている。
【００４４】
フック機構４０の２つのフック４３は、枠組足場部材５００の柱部材５１（または５２）が挿入され得る程度の間隔を置いて設けられている。そのため、梁部材３０が軸まわりに回転しようとしても、２つのフック４３のうちのいずれかが柱部材５１(５２）に当接し、梁部材３０の軸回りの回転を防止する。また、枠組足場部材５００のいずれの側からも（図７の右側および左側のいずれからも）、その梁部材５０にフック４３のいずれかを引っ掛けることができる。逆にいうと、梁部材５０が２つのフック４３のいずれから外側に延びるように設けられていても、２つのフック４３のうちのいずれか一方を梁部材５０に引っ掛けることができる。
【００４５】
また、図９および図１０に示すように、ヒンジ部材２０は、プレート部２５を有しており、プレート部２５には貫通孔が設けられている。また、梁部材３０にも、２つのプレート部３１および３２が設けられている。プレート部３１および３２のそれぞれにも貫通孔が設けられている。プレート部２５、プレート部３１、およびプレート部３２のそれぞれの貫通孔を貫通するようにヒンジピン２１が挿入される。ヒンジピン２１の一方端の近傍には、ヒンジピン２１の抜けを防止するための留めピン２２が設けられている。
【００４６】
また、本実施の形態の仮設足場の組立方法においては、枠組足場部材５００が用いられる。枠組足場部材５００は、互いに平行に延びる２本の柱部材５１および５２を備えている。２本の柱部材５１および５２のそれぞれの上端には梁部材５０が接続されている。これにより、枠組足場部材５００は柱梁構造（ラーメン構造）をなしている。なお、本実施の形態においては、図１１に示されるような枠組足場部材５００が用いられているが、本発明の枠組足場部材は、柱部材と梁部材とを有する構造を構成するものであれば、いかなるものであってもよい。たとえば、３本の単管がクランプによって組まれた柱梁構造体が枠組足場部材として用いられてもよい。
【００４７】
梁部材５０の両端から所定の位置に、それぞれ、補強部材５１ａおよび５２ａの一方端が固定されている。補強部材５１ａおよび５２ａの他方端は、柱部材５１および５２に固定されている。また、補強部材５１ａと柱部材５１とは、それぞれ、補強部材５１ｂで固定されている。また、補強部材５２ａと柱部材５２とは、それぞれ、補強部材５２ｂで固定されている。
【００４８】
また、図１２に示すように、２本の筋交い３００は、互いの中心で交差するようにＸ字状に設けられる。筋交い３００のそれぞれの端部には、接続用の貫通孔が設けられている。２つの筋交い３００の接続用の貫通孔と筋交い取付部材１１および１２の貫通孔とは、それぞれ、位置合わせされ、それらの貫通孔をピンが貫通することによって、２つの筋交い３００が、それぞれ、筋交い取付部材１１および１２に対して回転可能に取付けられる。
【００４９】
また、図１３に示すように、足場板６００は、足場板本体６１０と、足場板本体６１０の四隅に設けられたフック６２０とを備えている。４つのフック６２０は、枠組足場部材５００の梁部材５０に引っ掛けられる。
【００５０】
図１４には、図１１に示される枠組足場部材５００と、図１２に示される筋交い３００と、図１３に示される足場板６００とが組立てられた状態が斜視図で示されている。また、図１４においては、手摺り７００が枠組足場部材５００同士の間に取付けられている。なお、図１４に示された仮設足場は、本発明の仮設足場の組立方法に適用され得るものの一例であって、本発明の方法において適用され得る仮設足場は、図１４に示される構造に限定されない。
【００５１】
また、枠組足場部材５００の柱部材５１および５２のそれぞれの下方端には、ジャッキベース１４００が取付けられる。ジャッキベース１４００は、図１５に示されるように、プレート１４０１と、プレート１４０１に対して垂直な方向に延びるねじ切りされたねじ状柱部材１４０２と、ねじ状柱部材１４０２に対応する雌ねじ部を有するとともに、ねじ状の柱部材１４０２に沿って移動することによって枠組足場部材５００の位置を上下方向に移動させることが可能な支持部１４０３とを備えている。
【００５２】
また、本実施の形態の足場用補助部材１００を用いる仮設足場の組立方法を説明する。
図１６〜図１８に示されるように、建築物１０００の角部を形成する両壁面のそれぞれに沿って枠組足場部材５００と足場板６００とが順次設けられる。その結果、縦方向に延びる仮設足場部２６００と横方向に延びる仮設足場部３６００とが組立てられる。
【００５３】
まず、縦方向において縦方向に垂直に２つの枠組足場部材５００が互いに平行に設置され、２つの枠組足場部材５００の梁部材５０に足場板６００のフック６２０が引っ掛けられる。この工程は、縦方向において順次繰り返される。また、横方向において横方向に垂直に２つの枠組足場部材５００が互いに平行に設置され、２つの枠組足場部材５００の梁部材５０に足場板６００のフック６２０が引っ掛けられる。この工程は、横方向において順次繰り返される。
【００５４】
これにより、縦方向に延びる仮設足場部２６００と横方向に延びる仮設足場部３６００とが組み立てられる。このとき、横方向に延びる仮設足場部３６００の最も外側の枠組足場部材５００の梁部材５０の延長線上には、縦方向に延びる仮設足場部２６００の最も外側の枠組足場部材５００の外側の柱部材５１（５２）が位置付けられている。
【００５５】
この段階では、建築物１０００の一の壁面と他の壁面とによって構成される角部の近傍においては、従来技術と同様に隙間Ｓが形成される。この隙間Ｓを足場板１６００で塞ぐために、前述の図１〜図３に示されるような足場用補助部材１００が設置される。なお、隙間Ｓが規格長さ（６００ｍｍ、９００ｍｍ、１２００ｍｍ、１５００ｍｍ、１８００ｍｍ）を有する足場板６００を嵌め込むことができる寸法を有するように、横方向に延びる仮設足場部３６００と縦方向に延びる仮設足場部２６００との位置決めがなされていれば、規格長さとは異なる長さを有する足場板６００を用いる必要がない。
【００５６】
また、足場用補助部材１００の梁部材３０のフック機構４０が、横方向に延びる仮設足場部３６００の最も外側の枠組足場部材５００の梁部材５０に引っ掛けられる。このとき、枠組足場部材５００の内側の縦部材５１（５２）の上端部を２つのフック４２が挟むように、フック機構４０が梁部材５０に引っ掛けられる。また、足場用補助部材１００の柱部材１０は、鉛直方向に延びるように、すなわち、足場板６００に対して垂直に延びるように設けられる。
【００５７】
また、図１７に示されるように、足場用補助部材１００の柱部材１０と、横方向に延びる仮設足場部３６００の最も外側から２番目の枠組足場部材５００の内側の柱部材５１（または５２）とは、２本の筋交い３００により固定される。また、図１８に示されるように、足場用補助部材１００の柱部材１０と、縦方向に延びる仮設足場部２６００の最も外側に位置する枠組足場部材５００の内側の柱部材５１（５２）とは、２本の筋交い３００により固定される。
【００５８】
また、通常の足場板６００よりも短い規格長さの足場板１６００の一方端の２つフック６２０（図１３参照）が、足場用補助部材１００の梁部材３０に取付けられる。なお、本実施の形態においては、足場板１６００として通常の規格長さの最低値（６００ｍｍ）よりも短いものが使用されている。しかしながら、足場板１６００が通常の規格長さ（６００ｍｍ、９００ｍｍ、１２００ｍｍ、１５００ｍｍ、１８００ｍｍ）を有するものが用いられれば、種類の異なる足場板を用いる必要がないため、足場板の保管および運搬において不都合が生じ難い。また、本発明の足場板としては、いかなる寸法を有する足場板が用いられてもよい。
【００５９】
また、短い足場板１６００の他方端の２つのフック６２０（図１３参照）が、縦方向に延びる仮設足場部２６００の最も端に位置する枠組足場部材５００の梁部材５０に引っ掛けられる。
【００６０】
上記本実施の形態によれば、フック機構４０が梁部材５０に引っ掛けられるため、足場用補助部材１００が横方向に延びる仮設足場部３６００に強固に固定される。また、従来のように補助用の枠組足場部材５０００の外側の柱部材５１（５２）のジャッキベース１４００と横方向に延びる仮設足場部３６００の最も端に位置する枠組足場部材５００の内側の柱部材５１（５２）のジャッキベース１４００とを並べて設置する必要がない。そのため、足場板１６００と横方向に延びる仮設足場部３６００の端部の足場板６００との間に隙間Ｓ’が形成されることが防止される。また、足場用補助部材１００の柱部材１０が、筋交い３００により、２つの枠組足場部材５００の柱部材５１（または５２）に固定されため、より安定した構造の仮設足場を組み立てることが可能となる。
【００６１】
（実施の形態２）
次に、図１９〜図２３を用いて本発明の実施の形態２の足場用補助部材を説明する。なお、本実施の形態の各図において、実施の形態１の足場用補助部材１００に付された同一の参照符号を用いて示される部位は、実施の形態１の足場用補助部材１００の対応する部位と同一の構造および機能を有するため、その説明は繰り返さない。
【００６２】
図１９〜図２１に示されるように、本実施の形態の足場用補助部材２００の柱部材１０、ヒンジ部材２０、および梁部材３０等の構造は、実施の形態１の足場用補助部材１００の柱部材１０、ヒンジ部材２０、および梁部材３０等の構造と全く同様である。それらの構造の説明は繰り返さない。
【００６３】
本実施の形態の足場用補助部材２００は、梁部材３０の先端に設けられている本発明の取付機構の構造のみにおいて、実施の形態１の足場用補助部材１００と異なっている。本発明の取付機構の一例のクランプ機構は、短柱部材４５と、短柱部材４５と梁部材３０とに接合され、それらの接合を補強するプレート４７と、短柱部材４５の下方端に取付けられたクランプ４６とを備えている。
【００６４】
図２２および図２３に示すように、クランプ４６は、開閉可能な円弧状部４８と、円弧状部４８を、クランプ４６のクランプ本体４４に固定するためのボルト４９とを有している。本実施の形態の足場用補助部材２００が使用されるときには、梁部材３０が図１９に示される矢印Ｒ１で示す方向に持ち上げられた後、図２０に示される矢印Ｒ２で示す方向に振り下ろされ、クランプ４６が枠組足場部材５００の柱部材５１（または５２）に取付けられる。
【００６５】
本実施の形態の足場用補助部材２００によっても、実施の形態１の足場用補助部材１００によって得られる効果と同様の効果を得ることが可能である。さらに、本実施の形態の足場用補助部材２００によれば、クランプ４６を用いるため、枠組足場部材５００と足場用補助部材２００とが強固に固定される。
【００６６】
本実施の形態の足場用補助部材２００を用いた仮設足場の組立方法は、実施の形態１において説明された足場用補助部材１００を用いた仮設足場の組立方法と同様であるため、その説明は繰り返さない。
【００６７】
（実施の形態３）
次に、図２４〜図２５を用いて、本発明の実施の形態３の足場用補助部材３００を説明する。なお、本実施の形態の各図において、実施の形態１の足場用補助部材１００に付された同一の参照符号を用いて示される部位は、実施の形態１の足場用補助部材１００の対応する部位と同一の構造および機能を有するため、その説明は繰り返さない。
【００６８】
図２４および図２５に示されるように、本実施の形態の足場用補助部材３００においては、柱部材１０およびフック機構４０に梁部材１３０が固定されており、柱部材１０と梁部材１３０とを接続する方杖１４０が設けられている点のみにおいて、実施の形態１の足場用補助部材１００と異なっている。前述の相違点以外は、本実施の形態の足場用補助部材３００と実施の形態１の足場用補助部材１００とは共通の構造を有している。
【００６９】
本実施の形態の足場用補助部材３００によっても、実施の形態１および実施の形態２の足場用補助部材１００および２００によって得られる効果と同一の効果が得られる。また、梁部材３０と柱部材１０とが固定されているため、仮設足場の全体を堅固な状態に組み立てることができる。
【００７０】
なお、本実施の形態の取付機構の一例としてのフック機構４０は、実施の形態２において説明されたクランプ機構に置き換えられてもよい。
【００７１】
本実施の形態の足場用補助部材３００を用いた仮設足場の組立方法は、実施の形態１において説明された足場用補助部材１００を用いた仮設足場の組立方法と同様であるため、その説明は繰り返さない。
【００７２】
（実施の形態４）
次に、図２６〜図２８を用いて、実施の形態４の足場用補助部材４００を説明する。
【００７３】
本実施の形態の足場用補助部材４００においては、図２６および図２７に示すように、梁部材３０の両端のそれぞれに本発明の取付機構の一例としてのフック機構４０が設けられている。本実施の形態のフック機構４０は、実施の形態１のフック機構４０と同様の構造を有しているため、その説明は繰り返さない。なお、本実施の形態のフック機構４０は、実施の形態２において説明されたクランプ機構に置き換えられてもよい。また、本実施の形態の梁部材３０も、実施の形態１等で説明された梁部材３０と基本的には同様の構造を有しているため、その詳細説明は繰り返さない。
【００７４】
次に、図２８を用いて本実施の形態の足場用補助部材４００を用いる仮設足場の組立方法を説明する。
【００７５】
本実施の形態の足場用補助部材４００においては、図２６〜図２８に示されるように、横方向に延びる仮設足場部３６００の最も外側の枠組足場部材５００の梁部材５０および最も外側から２番目の枠組足場部材５００の梁部材５０のそれぞれにフック機構４０の一方のフック４３が引っ掛けられている。このとき、２つの枠組柱部材５００のそれぞれの内側の柱部材５１（５２）の上端部は、２つのフック４３同士の間に挿入されている。また、図２８に示されるように、足場用補助部材４００には、通常の足場板６００よりも短い足場板１６００の一方端の２つのフック６２０が引っ掛けられる。
【００７６】
なお、本実施の形態においては、足場用補助部材４００は、柱部材を有していないため、足場用補助部材４００への筋交いの取り付けは行われない。また、本実施の形態の足場用補助部材４００を用いる仮設足場の組立方法は、前述の事項以外は、実施の形態１の足場用補助部材１００を用いる仮設足場の組立方法と同様であるので、その説明は繰り返さない。
【００７７】
本実施の形態の足場用補助部材によれば、より簡単な構造の足場用補助部材４００を用いて、図２８に示される隙間Ｓを塞ぐための通常よりも短い足場板１６００を簡単に設置することができる。なお、本実施の形態においても、足場板１６００として通常の規格長さの最低値（６００ｍｍ）よりも短いものが使用されている。しかしながら、前述の実施の形態と同様に、足場板１６００が通常の規格長さ（６００ｍｍ、９００ｍｍ、１２００ｍｍ、１５００ｍｍ、１８００ｍｍ）を有するものが用いられれば、種類の異なる足場板を用いる必要がないため、足場部材の保管および運搬において不都合が生じ難い。また、本発明の足場板としては、いかなる長さを有する足場板が用いられてもよい。
【００７８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７９】
【図１】実施の形態１の足場用補助部材の保管時および運搬時の折り畳まれた状態を示す図である。
【図２】実施の形態１の足場用補助部材の使用時の状態を説明するための図である。
【図３】実施の形態１の足場用補助部材の上面図である。
【図４】実施の形態１の足場用補助部材の変形例の梁部材を説明するための図である。
【図５】実施の形態１の足場用補助部材の筋交い取付部の上面図である。
【図６】実施の形態１の足場用補助部材の筋交い取付部の側面図である。
【図７】実施の形態１の足場用補助部材のフック機構の上面図である。
【図８】実施の形態１の足場用補助部材のフック機構の側面図である。
【図９】実施の形態１の足場用補助部材のヒンジ接合部の上面図である。
【図１０】実施の形態１の足場用補助部材のヒンジ接合部の側面図である。
【図１１】各実施の形態で用いられる枠組足場部材の正面図（背面図）である。
【図１２】各実施の形態で用いられる筋交いの立面図である。
【図１３】各実施の形態で用いられる足場板の斜視図である。
【図１４】各実施の形態の足場の組立方法により設置された仮設足場の斜視図である。
【図１５】各実施の形態で用いられるジャッキベースの正面図である。
【図１６】実施の形態１の足場用補助部材を用いて設置された仮設足場の平面図である。
【図１７】実施の形態１の足場用補助部材を用いて組み立てられた仮設足場の図１６のＸＶＩＩ−ＸＶＩＩ線における矢視図である。
【図１８】実施の形態１の足場用補助部材を用いて組み立てられた仮設足場の図１６のＸＶＩＩＩ−ＸＶＩＩＩ線における矢視図である。
【図１９】実施の形態２の足場用補助部材の保管時または運搬時の折り畳まれた状態を示す図である。
【図２０】実施の形態２の足場用補助部材の使用時の立面図である。
【図２１】実施の形態２の足場用補助部材の使用時の上面図である。
【図２２】実施の形態２の足場用補助部材のクランプ機構の上面図である。
【図２３】実施の形態２の足場用補助部材のクランプ機構の立面図である。
【図２４】実施の形態３の足場用補助部材の立面図である。
【図２５】実施の形態３の足場用補助部材の上面図である。
【図２６】実施の形態４の足場用補助部材の上面図である。
【図２７】実施の形態４の足場用補助部材の側面図である。
【図２８】実施の形態４の足場用補助部材の使用時の状態を説明するための図である。
【図２９】従来技術において、建築物の周りに仮設足場が組み立てられた状態を説明するための図である。
【図３０】従来技術において、縦方向に延びる仮設足場部と横方向に延びる仮設足場部との間に、通常の長さよりも短い足場板が設置された状態を説明するための図である。
【図３１】図３０の矢印ＸＸＸＩで示される方向における断面図である。
【図３２】図３０の矢印ＸＸＸＩＩで示される方向における断面図である。
【図３３】図３０の矢印ＸＸＸＩＩＩで示される方向における断面図である。
【図３４】隙間布板が隙間Ｓ’を塞ぐために補助用の枠組足場部材の梁部材と足場板との間に設置された状態を示す図である。
【図３５】図３４のＸＸＸＶ−ＸＸＸＶ線断面図である。
【符号の説明】
【００８０】
１０  柱部材、１１，１２  取付部材、２０  ヒンジ部材、２１  ヒンジピン、２２  留めピン、２５  プレート部、３０，３０ａ，３０ｂ  梁部材、３１，３２  プレート部、３５  伸縮接合部材、３６ｂ  梁部材、４０  フック機構、４１  リベット状部材、４２  リベット状部材、４３  フック、４４  クランプ本体、４５  短柱部材、４６  クランプ、４７  プレート、４８  円弧状部、４９  ボルト、５０  梁部材、５１  柱部材、５１ａ，５１ｂ  補強部材、５２  柱部材、５２ａ，５２ｂ  補強部材、１００  足場用補助部材、１２０  筒状部、１２２,１２３，１２４  ヒンジ部、１３０  梁部材、１４０  方杖、２００，３００，４００  足場用補助部材、５００  枠組足場部材、６００  足場板、６１０  足場板本体、６２０  フック、１０００  建築物、１４００  ジャッキベース、１４０１  プレート、１４０２  柱部材、１４０３  支持部、１６００  足場板、２６００  縦方向に延びる仮設足場部、３６００  横方向に延びる仮設足場部。
【図１】
2009035980.tif 000003
【図２】
2009035980.tif 000004
【図３】
2009035980.tif 000005
【図４】
2009035980.tif 000006
【図５】
2009035980.tif 000007
【図６】
2009035980.tif 000008
【図７】
2009035980.tif 000009
【図８】
2009035980.tif 000010
【図９】
2009035980.tif 000011
【図１０】
2009035980.tif 000012
【図１１】
2009035980.tif 000013
【図１２】
2009035980.tif 000014
【図１３】
2009035980.tif 000015
【図１４】
2009035980.tif 000016
【図１５】
2009035980.tif 000017
【図１６】
2009035980.tif 000018
【図１７】
2009035980.tif 000019
【図１８】
2009035980.tif 000020
【図１９】
2009035980.tif 000021
【図２０】
2009035980.tif 000022
【図２１】
2009035980.tif 000023
【図２２】
2009035980.tif 000024
【図２３】
2009035980.tif 000025
【図２４】
2009035980.tif 000026
【図２５】
2009035980.tif 000027
【図２６】
2009035980.tif 000028
【図２７】
2009035980.tif 000029
【図２８】
2009035980.tif 000030
【図２９】
2009035980.tif 000031
【図３０】
2009035980.tif 000032
【図３１】
2009035980.tif 000033
【図３２】
2009035980.tif 000034
【図３３】
2009035980.tif 000035
【図３４】
2009035980.tif 000036
【図３５】
2009035980.tif 000037